(57)【要約】【課題】  ディスクトレイを後退位置に停止させる際の衝突音を軽減する。【解決手段】  囲構体１にスライド可能に取り付けたディスクトレイ３の出退動作を、囲構体１に設けたピニオン５１とディスクトレイ３に設けられたラック５５とでなるピニオン・ラック機構５によって行われせる。ディスクトレイ３の後退動作によって当り面４１が受面２１との係合位置に到達する直前位置に移動したときに、ピニオン５１の噛合い歯５２を、ラック５５の相隣接する噛合い歯５６の相互間の谷部５７を埋めているＰＯＭ樹脂に係止させることにより、ＰＯＭ樹脂によって衝撃を吸収させると共に、ピニオン５１の回転を停止させる。【選択図】        図３
2006179070.tif 000002
【特許請求の範囲】
【請求項１】
囲構体にスライド可能に取り付けられてその囲構体の内部と外部との間で出退してディスクを搬入出するディスクトレイを備え、そのディスクトレイの出退動作が、囲構体に設けられたピニオンとディスクトレイに設けられたラックとでなるピニオン・ラック機構によって行われるようになっていると共に、囲構体の外部に引き出された上記ディスクトレイの後退位置を規制するストッパ機構を備え、そのストッパ機構が、囲構体及びディスクトレイのうちの一方側に具備された受面と他方側に設けられてその受面に係合することによってディスクの後退位置を規制する当り面とを備えているディスク装置において、
上記ディスクトレイの後退動作によって上記当り面が上記受面との係合位置に到達する直前位置に移動したときに、上記ピニオンの噛合い歯に係止してそのピニオンの回転を停止させることにより、そのピニオンによるラックの送り作用を停止させるピニオン係止手段を付加することによって、上記ストッパ機構によるディスクトレイの後退位置を規制する機能を消失させ、
上記ピニオン係止手段が、上記ラックの相隣接する噛合い歯の相互間の谷部を埋めてピニオンの噛合い歯との係止に伴う衝撃を吸収し得る弾性を備えたＰＯＭ樹脂でなり、かつ、上記ピニオンがＰＯＭ樹脂の成形体でなることを特徴とするディスク装置。
【請求項２】
囲構体にスライド可能に取り付けられてその囲構体の内部と外部との間で出退してディスクを搬入出するディスクトレイを備え、そのディスクトレイの出退動作が、囲構体に設けられたピニオンとディスクトレイに設けられたラックとでなるピニオン・ラック機構によって行われるようになっていると共に、囲構体の外部に引き出された上記ディスクトレイの後退位置を規制するストッパ機構を備え、そのストッパ機構が、囲構体及びディスクトレイのうちの一方側に具備された受面と他方側に設けられてその受面に係合することによってディスクトレイの後退位置を規制する当り面とを備えているディスク装置において、
上記ディスクトレイの後退動作によって上記当り面が上記受面との係合位置に到達する直前位置に移動したときに、上記ピニオンの噛合い歯に係止してそのピニオンの回転を停止させることにより、そのピニオンによるラックの送り作用を停止させるピニオン係止手段を付加することによって、上記ストッパ機構によるディスクの後退位置を規制する機能を消失させたことを特徴とするディスク装置。
【請求項３】
上記ピニオン係止手段が、ピニオンの噛合い歯との係止に伴う衝撃を吸収し得る弾性を備えた樹脂材でなる請求項２に記載したディスク装置。
【請求項４】
上記ピニオン係止手段がディスクトレイの定位置に設けられている請求項３に記載したディスク装置。
【請求項５】
上記ピニオン係止手段が、上記ラックの相隣接する噛合い歯の相互間の谷部を埋める上記樹脂材でなる請求項３又は請求項４に記載したディスク装置。
【請求項６】
上記樹脂材がＰＯＭ樹脂である請求項５に記載したディスク装置。
【発明の詳細な説明】
【技術分野】
【０００１】
本発明は、ディスク装置、特に、囲構体の外部に引き出されたディスクトレイが停止するときの衝突音を軽減させるための対策を講じたディスク装置に関する。
【背景技術】
【０００２】
ＤＶＤプレーヤなどのディスク装置では、ディスク記録面に対する記録／再生処理に必要な光ピックアップなどの要素を搭載したシャーシとしての囲構体に、その囲構体の内部と外部との間でディスクを搬入するためディスクトレイがスライド可能に取り付けられていると共に、囲構体の外部に引き出された上記ディスクトレイの後退位置を規制する後退位置規制手段を備えている。
【０００３】
従来、上記後退位置規制手段として電気的な制御方法を採用したものがあった。このものは、ディスクトレイが後退位置の直前位置まで引き出されたことをスイッチによって検出し、その検出信号によってディスクトレイを後退させるための駆動源としてのモータの回転を停止させるというものであった。また、このものでは、ディスクトレイが適正な後退位置よりもさらに引き出されてしまうという事態を防ぐために、ディスクトレイに設けた係合爪を囲構体に設けた受片に係止させるという安全対策も講じられていた。
【０００４】
これに対し、後退位置規制手段としての上記のような電気的な制御方法を採用することに代え、機械的に動作するストッパ機構だけを採用することによって上記スイッチを省略することが試みられた。このストッパ機構Ａの要部を図４に概略平面図で示してある。
【０００５】
同図のストッパ機構Ａは、囲構体１に設けられた受片２の受面２１と、ディスクトレイ３側に設けられた係合爪４の当り面４１とによって構成されている。このストッパ機構Ａを採用したディスク装置では、駆動源としての上記モータの回転によってディスクトレイ３が後退方向ａに引き出されたときには、係合爪４の当り面４１が受片２の受面２１に係合することによりディスクトレイ３の後退動作が停止してそのディスクトレイ３の後退位置が規制され、その後にモータの回転が所定の制御工程を経て停止する。なお、図４において、５はピニオン・ラック機構であり、ピニオン５１が囲構体１の定位置に取り付けられ、ラック５５がディスクトレイ３の裏面に設けられている。
【０００６】
一方、従来より、トレイのクローズ時の衝撃を吸収する機能を備えたディスク装置が提案されている（たとえば特許文献１参照）。また、ラックギヤと作動ギヤとの噛合を円滑に行わせるために、ラックギヤをその背部から弾性的に押圧しておく技術も知られている（たとえば特許文献２参照）。
【０００７】
このうち、特許文献１に記載されているものは、複数のコンパクトディスクの中から任意のコンパクトディスクを選択して再生するディスクオートチェンジャーなどのディスク装置において、クローズ時にトレイがメカシャーシに衝突したときの衝撃を小さくするため、メカシャーシの後端部にゴムでなるクッション材を取り付けたり、そのクッション材に代えて、トレイの移動タイミングを決定するメインギヤの上面に弾性変形可能なクッション部を設け、トレイ下面の当接部がクッション部を押して弾性変形させたりするものである。また、この特許文献１は、メインギヤを弾性変形可能な樹脂としてのポリアセタール樹脂で成形することが記載されている。
【特許文献１】特開平７−２７２３７３号公報
【特許文献２】特開平８−１７１６８号公報
【発明の開示】
【発明が解決しようとする課題】
【０００８】
ところで、後退位置規制手段として上記した電気的な制御方法を採用したものでは、部材同士の衝突を伴わずにディスクトレイを後退位置で停止させることができるので、部材同士の衝突音が問題になることは少ない。また、そのものでは、仮に、安全対策として設けられているディスクトレイ側の係合爪が囲構体側の受片に衝突した場合でも、その衝突はディスクトレイの減速下で起こるために衝突音のレベルはきわめて低くなってその衝突音や衝撃が問題になることは少ない。
【０００９】
しかしながら、図４で説明したストッパ機構Ａを採用したものでは、ディスクトレイ３が事前に減速することなく係合爪４の当り面４１が受片２の受面２１に衝突してディスクトレイ３が後退位置に停止するので、その衝突音が大きくなり衝突時の衝撃も大きくなってそれらの衝突音や衝撃がディスク装置自体の動作品位上の問題となる可能性がある。
【００１０】
この点に関し、上掲の特許文献１は、トレイのクローズ時の衝撃緩和を図る技術であるに過ぎず、図４で説明したディスクトレイ３の後退動作の完了時の衝突音や衝撃を問題にしているものではない。また、特許文献１は、ゴムでなるクッション材や弾性変形可能なクッション部にトレイの一部を衝突させるものであるので、衝突後のクッション材又はクッション部の元の形状への復帰動作によってトレイが押し戻され、トレイのクローズ位置を正確に規定することに困難が伴うと考えられる。
【００１１】
本発明は以上の状況に鑑み、図４で説明したピニオン・ラック機構５に工夫を講じることによって、ディスクトレイが後退位置（オープン位置）に達したときの部材同士の衝突音が大幅に軽減され、しかも、ディスクトレイの後退位置を正確に規定することができるようになるディスク装置を提供することを目的とする。
【課題を解決するための手段】
【００１２】
本発明に係るディスク装置は、囲構体にスライド可能に取り付けられてその囲構体の内部と外部との間で出退してディスクを搬入出するディスクトレイを備え、そのディスクトレイの出退動作が、囲構体に設けられたピニオンとディスクトレイに設けられたラックとでなるピニオン・ラック機構によって行われるようになっていると共に、囲構体の外部に引き出された上記ディスクトレイの後退位置を規制するストッパ機構を備え、そのストッパ機構が、囲構体及びディスクトレイのうちの一方側に具備された受面と他方側に設けられてその受面に係合することによってディスクトレイの後退位置を規制する当り面とを備えている。そして、上記ディスクトレイの後退動作によって上記当り面が上記受面との係合位置に到達する直前位置に移動したときに、上記ピニオンの噛合い歯に係止してそのピニオンの回転を停止させることにより、そのピニオンによるラックの送り作用を停止させるピニオン係止手段を付加してある。
【００１３】
この構成であれば、ディスクトレイが後退動作を行う工程では、当り面が受面に係合する前に、ピニオンの噛合い歯がピニオン係止手段に係止してそのピニオンの回転が停止し、ピニオンによるラックの送り作用が停止する。そのため、ディスクトレイの後退位置が、ピニオンの噛合い歯がピニオン係止手段に係止したときの位置に正確に規定される。しかも、ピニオンの噛合い歯がピニオン係止手段に係止する動作は、ピニオンの回転に伴うその噛合い歯の回転運動を介して行われ、図４を参照して説明したような動作、すなわちディスクトレイ３が後退するときの直線運動を介して係合爪４の当り面４１が受片２の受面２１に正面から衝突するような動作を伴わないので、ピニオンの噛合い歯がピニオン係止手段に係止するときの衝撃は小さくなり、衝突音の周波数や音圧も小さくなるので、衝突音が顕著に軽減され、あるいは、衝突音が無視できる程度に小さくなる。
【００１４】
本発明では、上記ピニオン係止手段が、ピニオンの噛合い歯との係止に伴う衝撃を吸収し得る弾性を備えた樹脂材でなるという構成を採用することが可能であり、その場合には、上記ピニオン係止手段がディスクトレイの定位置に設けられていることが望ましい。特に、上記ピニオン係止手段が、上記ラックの相隣接する噛合い歯の相互間の谷部を埋める上記樹脂材でなることが望ましい。この構成を採用すると、ピニオンの噛合い歯がピニオン係止手段に係止したときに樹脂材がその弾性によって撓み変形した後に元の形状に復元するとしても、樹脂材の量はラックの相隣接する噛合い歯の相互間の谷部を埋める程度のごく少量であるために撓み変形幅も微少であり、復元幅も微少になって、ピニオンが押し戻されてラックと共にディスクトレイが後退位置から位置ずれということはならない。
【００１５】
上記樹脂材にはＰＯＭ樹脂を好適に用いることができる。ＰＯＭ樹脂は、化学名ポリオキシメチレン樹脂を省略した呼称であり、一般的にはポリアセタール、アセタール樹脂などと呼ばれる熱可塑性樹脂である。そして、このＰＯＭ樹脂の代表格としてジュラコンがあり、ジュラコンは主として歯車などの機械要素部品の成形に利用されている。また、ＰＯＭ樹脂は、広範囲の温度条件下で高い弾性率と弾性回復性、耐クリープ性、耐疲労性を発揮することから、ピニオンの噛合い歯が係止したときの衝突音の発生を抑制する樹脂材として最適であると云える。
【００１６】
本発明に係るディスク装置では、囲構体にスライド可能に取り付けられてその囲構体の内部と外部との間で出退してディスクを搬入出するディスクトレイを備え、そのディスクトレイの出退動作が、囲構体に設けられたピニオンとディスクトレイに設けられたラックとでなるピニオン・ラック機構によって行われるようになっていると共に、囲構体の外部に引き出された上記ディスクトレイの後退位置を規制するストッパ機構を備え、そのストッパ機構が、囲構体及びディスクトレイのうちの一方側に具備された受面と他方側に設けられてその受面に係合することによってディスクの後退位置を規制する当り面とを備えているディスク装置において、上記ディスクトレイの後退動作によって上記当り面が上記受面との係合位置に到達する直前位置に移動したときに、上記ピニオンの噛合い歯に係止してそのピニオンの回転を停止させることにより、そのピニオンによるラックの送り作用を停止させるピニオン係止手段を付加し、上記ピニオン係止手段が、上記ラックの相隣接する噛合い歯の相互間の谷部を埋めてピニオンの噛合い歯との係止に伴う衝撃を吸収し得る弾性を備えたＰＯＭ樹脂でなり、かつ、上記ピニオンがＰＯＭ樹脂の成形体でなる、という構成を採用することが可能であり、これによると、ピニオン係止手段としての樹脂材とそれに係止されるピニオンの噛合い歯との両方がＰＯＭ樹脂であることによって、係止時の衝撃が著しく緩和されて衝突音がほとんど発生しなくなる。
【発明の効果】
【００１７】
本発明に係るディスク装置では、ピニオンの噛合い歯を樹脂材、特に好ましくはラックのラック歯の相互間の谷部分を埋めるＰＯＭ樹脂により係止させることによってディスクトレイの後退位置を規定するので、衝撃がＰＯＭ樹脂により良好に吸収されて衝突音が顕著に軽減され、あるいは、衝突音が無視できる程度に軽減されるにもかかわらず、ディスクトレイの後退位置が正確に規定されるようになる。そのため、ディスク装置の動作品位が向上してユーザにとっての使い勝手が向上する。
【発明を実施するための最良の形態】
【００１８】
図１は本発明に係るディスク装置の概略構成を示した一部破断平面図、図２は要部の構成を示した概略平面図、図３は図２の要部をさらに拡大した概略平面図である。
【００１９】
図１のように、このディスク装置では、シャーシとしての樹脂製の囲構体１に、仮想線で示したディスクトレイ３が出退可能に取り付けられている。囲構体１には、ディスク記録面に対する記録／再生処理に必要な要素、たとえば光ピックアップやその制御基板、ターンテーブルとその駆動源としてのモータ、ディスクトレイ３を出退させるための駆動源となるモータなど（いずれも不図示）が搭載されている。ディスクトレイ３の出退動作は、囲構体１に設けられたトレイギヤとしてのピニオン５１とディスクトレイ３に設けられたまっすぐなラック５５とでなるピニオン・ラック機構５によって行われるようになっていて、ピニオン５１の回転がディスクトレイ３の裏面のラック５５に伝達されて直線運動に変換され、ディスクトレイ３が囲構体１に対して出退される。また、囲構体１の外部に引き出されたディスクトレイ３にディスク（不図示）を載架させてそのディスクトレイ３を囲構体１の内部に引き込ませることによって、ディスクが記録／再生のために定められたセット位置に搬入されるのに対し、ディスクトレイ３を囲構体１の外部に引き出すことによってディスクが上記セット位置から搬出される。
【００２０】
このディスク装置では、機械的に動作するストッパ機構Ａが備わっている。このストッパ機構Ａは、囲構体１の外部に引き出されたディスクトレイ３が囲構体１から引き抜かれてしまうことを防ぐ作用を発揮するものであって、図１に示したように、囲構体１側に設けられた受片２の受面２１と、ディスクトレイ３側に設けられた係合爪４の当り面４１とを備えている。言い換えると、図４を参照して説明したストッパ機構Ａによるディスクトレイ３の後退位置を規制する機能を消失させることにより、そのストッパ機構Ａを、ディスクトレイ３が囲構体１から引き抜かれてしまうことを防ぐことに用いたものである。
【００２１】
図２又は図３のように、この実施形態のディスク装置では、ピニオン係止手段６を付加してあり、このピニオン係止手段６が、ディスクトレイ３の矢印ａ方向の後退動作によって係合爪４の当り面４１が受片２の受面２１との係合位置に到達する直前位置に移動したときに、ピニオン５１の１つの噛合い歯５２に係止してそのピニオン５１の回転を停止させ、それによってピニオン５１によるラック５５の送り作用を停止させるようになっている。ピニオン係止手段６が、ラック５５の相隣接する噛合い歯５６，５６の相互間の谷部５７を埋めてピニオン５１の噛合い歯５２との係止に伴う衝撃を吸収し得る弾性を備えた樹脂材、具体的にはＰＯＭ樹脂でなる。加えて、ピニオン５もＰＯＭ樹脂の成形体でなる。
【００２２】
以上の構成において、図２又は図３の矢印ａのように、ピニオン５１が回転してラック５５に送り力が付与されることによりディスクトレイ３が囲構体１から引き出されてきたときには、係合爪４の当り面４１に受片２の受面２１に係合する直前に、ピニオン５１の１つの噛合い歯５２がＰＯＭ樹脂でなるピニオン係止手段６に係止してそのピニオン５１の回転が停止し、ピニオン５１によるラック５５の送り作用が停止する。そのため、ディスクトレイ３の後退位置が、ピニオン５１の噛合い歯５２がピニオン係止手段６に係止したときの位置に正確に規定される。そして、このときには、上記した当り面４１と受面２１とが離れているため、当り面４１が受面２１に衝突することに伴う衝突音は発生する余地がない。また、ピニオン５１の噛合い歯５２がピニオン係止手段６に係止する動作は、ピニオン５１の回転に伴うその噛合い歯５２の回転運動を介して行われるので、その係止動作に伴う衝撃は小さくなり、衝突音の周波数や音圧も小さくなって、衝突音が顕著に軽減され、あるいは、衝突音が無視できる程度に小さくなる。
【００２３】
特に、この実施形態では、ピニオン係止手段６が、広範囲の温度条件下で高い弾性率と弾性回復性、耐クリープ性、耐疲労性を発揮する樹脂材として知られているＰＯＭ樹脂によって形成されているので、ピニオン５１の噛合い歯５２がピニオン係止手段６によって係止されたときの衝撃がＰＯＭ樹脂によって効率よく吸収され、しかも、ディスクトレイ３が頻繁に繰り返し出退されても、ＰＯＭ樹脂による衝撃吸収作用が長期に亘って損なわれなくなってその耐用性が向上する。加えて、ピニオン５１自体もＰＯＭ樹脂で成形されているために、上記衝突音が著しく緩和されて衝突音がほとんど発生しなくなる。
【００２４】
なお、ピニオン係止手段６にピニオン５１の噛合い歯５２が係止するときには、噛合い歯５２がピニオン係止手段６に噛み込まないようにして、ディスクトレイ３の引込み動作が円滑に開始されるようにしておくことが要求される。噛合い歯５２がピニオン係止手段６に噛み込まないようにするには、ラック５５の噛合い歯５６，５６の相互間の谷部５７を埋めるＰＯＭ樹脂の樹脂層表面６１の高さを適切に定めればよい。
【００２５】
なお、説明を理解しやすくすることを意図して、図１〜図４において同一又は相応する部分には同一符号を付してある。
【図面の簡単な説明】
【００２６】
【図１】本発明に係るディスク装置の概略構成を示した一部破断平面図である。
【図２】要部の構成を示した概略平面図である。
【図３】図２の要部をさらに拡大した概略平面図である。
【図４】参照例であるディスク装置のストッパ機構の要部の概略平面図である。
【符号の説明】
【００２７】
１  囲構体
３  ディスクトレイ
５  ピニオン・ラック機構
６  ピニオン係止手段
２１  受面
４１  当り面
５１  ピニオン
５２  ピニオンの噛合い歯
５５  ラック
５６  ラックの噛合い歯
５７  谷部
Ａ  ストッパ機構
【図１】
2006179070.tif 000003
【図２】
2006179070.tif 000004
【図３】
2006179070.tif 000005
【図４】
2006179070.tif 000006